(57)【特許請求の範囲】
【請求項１】
放送衛星からの送信電波を受信すると共に、該受信電波を、元の周波数よりも低く、且つ、地上のテレビ放送に割り当てられたＶＨＦ帯及びＵＨＦ帯の放送周波数よりも高い所定周波数帯のＢＳ受信信号に周波数変換して出力するＢＳアンテナをヘッドエンドに備え、該ＢＳアンテナからのＢＳ受信信号と、他のテレビ放送信号とを、共通の伝送線を介して、複数の加入者側端末まで伝送するＣＡＴＶシステムにおいて、
前記ヘッドエンド側に、前記ＢＳアンテナからのＢＳ受信信号の中から、１又は連続する複数チャンネル分のＢＳ受信信号を２グループ以上抽出し、各グループのＢＳ受信信号を、夫々、前記テレビ放送信号用に割り当てられているＶＨＦ帯からＵＨＦ帯までの周波数領域で、且つ、前記テレビ放送信号と重複することのない所定周波数帯のＢＳ中間周波信号に周波数変換して、前記伝送線上に送出するダウンコンバータを設け、
前記各加入者側の伝送線上に、前記ヘッドエンドから伝送されてきた前記各グループのＢＳ中間周波信号を、夫々、前記ＢＳアンテナから出力された元の周波数帯のＢＳ受信信号に周波数変換すると共に、該周波数変換後のＢＳ受信信号を混合して加入者側端末へと送出するアップコンバータを設けたことを特徴とするＣＡＴＶシステム。
【請求項２】
前記ダウンコンバータは、
前記ＢＳアンテナからのＢＳ受信信号の中から抽出した第１グループのＢＳ受信信号を、前記ＶＨＦ帯の地上のテレビ放送に割り当てられている周波数帯域とＵＨＦ帯の地上のテレビ放送に割り当てられている周波数帯域との間の中間帯域内のＢＳ中間周波信号に周波数変換し、
前記ＢＳアンテナからのＢＳ受信信号の中から抽出した第２グループのＢＳ受信信号を、前記ＵＨＦ帯の地上のテレビ放送に割り当てられている周波数帯域内のＢＳ中間周波信号に周波数変換することを特徴とする請求項１記載のＣＡＴＶシステム。
【請求項３】
前記ダウンコンバータは、前記ＢＳアンテナからのＢＳ受信信号の中から抽出した第１グループのＢＳ受信信号と第２グループのＢＳ受信信号とを、夫々、前記ＶＨＦ帯の地上のテレビ放送に割り当てられている周波数帯域とＵＨＦ帯の地上のテレビ放送に割り当てられている周波数帯域との間の中間帯域内で、且つ、互いに周波数が異なるＢＳ中間周波信号に周波数変換することを特徴とする請求項１記載のＣＡＴＶシステム。
【請求項４】
請求項１〜請求項３何れか記載のＣＡＴＶシステムにおいて、前記ヘッドエンド側に設けられるダウンコンバータであって、
前記ＢＳアンテナからのＢＳ受信信号の中から、１又は連続する複数チャンネル分のＢＳ受信信号を２グループ以上抽出するＢＳ受信信号抽出手段と、
該ＢＳ受信信号抽出手段にて抽出された各グループのＢＳ受信信号を、夫々、前記テレビ放送信号用に割り当てられているＶＨＦ帯からＵＨＦ帯までの周波数領域で、且つ、前記テレビ放送信号と重複することのない所定周波数帯のＢＳ中間周波信号に周波数変換する複数の第１周波数変換手段と、
該複数の第１周波数変換手段にて周波数変換された複数のＢＳ中間周波信号と、外部から入力される他のテレビ放送信号とを混合して前記伝送線上に送出する伝送信号混合手段と、
前記複数の第１周波数変換手段が前記各グループのＢＳ受信信号を所定周波数帯のＢＳ中間周波信号に周波数変換するのに必要な複数の基準信号を生成する第１基準信号生成手段と、
を備えたことを特徴とするダウンコンバータ。
【請求項５】
前記第１基準信号生成手段は、
前記複数の第１周波数変換手段が前記各グループのＢＳ受信信号を所定周波数帯のＢＳ中間周波信号に周波数変換するのに必要な複数の基準信号を各々発生する複数の発振器を備えたことを特徴とする請求項４記載のダウンコンバータ。
【請求項６】
前記第１基準信号生成手段は、
前記複数の周波数変換手段の内の一つが特定グループのＢＳ受信信号を所定周波数帯のＢＳ中間周波信号に周波数変換するのに必要な基準信号を発生する第１発振器と、
該発振器が発生した基準信号を逓倍又は分周することにより、他の周波数変換手段が他のグループのＢＳ受信信号を所定周波数帯の周波数変換するのに必要な基準信号を生成する第１逓倍／分周手段と、
を備えることを特徴とする請求項４記載のダウンコンバータ。
【請求項７】
請求項１〜請求項３何れか記載のＣＡＴＶシステムにおいて、各加入者側の伝送線上に設けられるアップコンバータであって、
前記ヘッドエンドからの伝送信号の中から前記各グループのＢＳ中間周波信号を抽出するＢＳ中間周波信号抽出手段と、
該ＢＳ中間周波信号抽出手段にて抽出された各グループのＢＳ中間周波信号を、夫々、前記ＢＳアンテナから出力された元の周波数帯のＢＳ受信信号に周波数変換する複数の第２周波数変換手段と、
該複数の第２周波数変換手段にて周波数変換された複数のＢＳ受信信号を混合して加入者側端末へと送出するＢＳ受信信号混合手段と、
前記複数の第２周波数変換手段が前記各グループのＢＳ中間周波信号を元のＢＳ受信信号に周波数変換するのに使用する基準信号として、前記ヘッドエンド側ダウンコンバータが前記各グループのＢＳ受信信号をＢＳ中間周波信号に周波数変換するのに用いた基準信号と同一周波数の基準信号を生成する第２基準信号生成手段と、
を備えたことを特徴とするアップコンバータ。
【請求項８】
前記第２基準信号生成手段は、
前記複数の第２周波数変換手段が前記各グループのＢＳ中間周波信号を元のＢＳ受信信号に周波数変換するのに必要な複数の基準信号を各々発生する複数の発振器を備えたことを特徴とする請求項７記載のアップコンバータ。
【請求項９】
前記第２基準信号生成手段は、
前記複数の第２周波数変換手段の内の一つが特定グループのＢＳ中間周波信号を元のＢＳ受信信号に周波数変換するのに必要な基準信号を発生する第２発振器と、
該発振器が発生した基準信号を逓倍又は分周することにより、他の周波数変換手段が他のグループのＢＳ中間周波信号を元のＢＳ受信信号に周波数変換するのに必要な基準信号を生成する第２逓倍／分周手段と、
を備えたことを特徴とする請求項７記載のアップコンバータ。
【請求項１０】
前記アップコンバータは、前記伝送線上に単体で設置されていることを特徴とする請求項７〜請求項９何れか記載のアップコンバータ。
【請求項１１】
前記アップコンバータは、前記伝送線上に、前記伝送信号を端末側に伝送する伝送用機器の一つとして設置可能に構成されていることを特徴とする請求項７〜請求項９何れか記載のアップコンバータ。
【発明の詳細な説明】
【０００１】
【発明の属する技術分野】
本発明は、放送衛星（ＢＳ）からの送信電波を受信するＢＳアンテナからのＢＳ受信信号を地上のテレビ放送信号と共に端末側に伝送するＣＡＴＶシステム、及び、このＣＡＴＶシステムにてＢＳ受信信号を端末側に伝送するのに好適なダウンコンバータ並びにアップコンバータに関する。
【０００２】
【従来の技術】
従来より、ヘッドエンドに、地上のテレビ放送信号を受信するテレビ受信アンテナと、放送衛星（ＢＳ）からの送信電波を受信するＢＳアンテナとを設け、これら各受信アンテナからの受信信号を、共通の伝送線（一般に同軸ケーブル）を介して端末側に伝送するように構成されたＣＡＴＶシステムが知られている。
【０００３】
ところで、ＢＳアンテナの受信部には、受信信号を同軸ケーブル等を使って伝送できるように、通常、ＢＳから送信されてくる十数ＧＨｚ帯の送信電波を、１ＧＨｚ〜２ＧＨｚ程度に周波数変換（ダウンコンバート）するコンバータが設けられているが、こうしたＢＳアンテナからの受信信号（ＢＳ受信信号）は、伝送線上に設置される増幅器等の伝送用機器が地上のテレビ放送信号を伝送するように設計された既存のＣＡＴＶシステムでは、伝送することができないといった問題があった。
【０００４】
また、ＢＳ受信信号は、地上のテレビ放送信号に比べて周波数が高いことから、たとえ伝送線上に設置する伝送用機器にＢＳ受信信号を伝送可能なものを使用したとしても、伝送線を流れることによって生じる伝送損失が大きくなり、ＢＳ受信信号を適正レベルで伝送するには、高レベルの増幅特性を有する高価な増幅器が必要となるという問題もあった。
【０００５】
そこで、従来より、地上のテレビ放送信号を伝送するように設計された既存のＣＡＴＶシステムでもＢＳ受信信号を伝送でき、しかも、ＢＳ受信信号を低損失で伝送できるようにするために、ヘッドエンド側に、ＢＳ受信信号を、一旦、テレビ放送信号の周波数帯まで落とすダウンコンバータを設けて、このダウンコンバータにて周波数変換したＢＳ受信信号（以下、ＢＳ中間周波信号という）を端末側に伝送することが考えられている。
【０００６】
【発明が解決しようとする課題】
ところで、既存のＣＡＴＶシステムにおいて、伝送可能な周波数帯域は、一般に７０ＭＨｚ〜７７０ＭＨｚとなっており、このうち、ＶＨＦ帯域（９０乃至２２２ＭＨｚ）は主に地上波アナログ放送信号に割り当てられており、４５１．２５ＭＨｚはパイロット信号に割り当てられているので、ＢＳ中間周波信号の伝送用に割り当てることができる周波数帯域は、７０乃至９０ＭＨｚ，２２２乃至４５１．２５ＭＨｚ及び４５１．２５乃至７７０ＭＨｚに限定される。そして、ＢＳ受信信号の帯域幅は約３００ＭＨｚであるので、結局、ＢＳ中間周波信号を収めることができるのは４５１．２５乃至７７０ＭＨｚだけである。
【０００７】
しかし、近い将来、ＵＨＦ帯域（４７０ＭＨｚ以上）は地上波デジタル放送信号に割り当てられることになっており、ＵＨＦ帯域（特に４７０ＭＨｚ近傍）はできる限り空けておく必要があるので、全８チャンネル分のＢＳ中間周波信号をＵＨＦ帯域に収めることはできない。
【０００８】
つまり、上記のように、ＢＳ受信信号をダウンコンバータを用いて伝送用のＢＳ中間周波信号に周波数変換する場合、ＢＳ受信信号全体をそのままのチャンネル配置で周波数変換するようにしたのでは、周波数変換後のＢＳ中間周波信号を、既存のＣＡＴＶシステムの伝送線上に流すことはできないのである。
【０００９】
一方、こうした問題を解決するために、従来より、例えば、全８チャンネル（１，３，５，７，９，１１，１３，１５チャンネル）あるＢＳ受信信号の内、図１０（ａ）に示す様な周波数帯域のＢＳデジタル放送用の４チャンネル（１，３，１３，１５チャンネル）分のＢＳ受信信号を、例えば、図１０（ｂ）に示す様に、２５３乃至４０７ＭＨｚのＢＳ中間周波信号に周波数変換して伝送し、図１０（ｃ）に示す様に、端末側のアップコンバータにおいてこの４チャンネル分の信号をまとめて周波数変換するシステムが考えられている。
【００１０】
しかし、図１０（ａ）と図１０（ｃ）を比較して明らかな様に、端末側のアップコンバータにおいてこの様な方法で周波数変換すると、ＢＳ受信信号のチャンネル配列が、元のＢＳ受信信号のチャンネル配列と異なってしまう。このため、最終的にＢＳ受信信号を受信するＢＳチューナ（この場合、ＢＳデジタルチューナ）には、ＢＳアンテナからの信号をそのまま受信する市販のＢＳチューナを使用することができず、加入者は、ＣＡＴＶシステム専用のＢＳチューナを準備しなければならなくなる。
【００１１】
本発明は、こうした問題に鑑みなされたものであり、信号の伝送周波数が地上のテレビ放送に対応して設定されたＣＡＴＶシステムにおいて、ＢＳ受信信号を伝送でき、しかも、加入者側端末では、既存のＢＳチューナを用いてＢＳ放送を受信できる様にすることを目的とする。
【００１２】
【課題を解決するための手段、及び発明の効果】
この様な目的を達成するため、本発明にかかるＣＡＴＶシステムは、請求項１に記載されている様に、ヘッドエンド側のダウンコンバータにおいて、ＢＳアンテナからのＢＳ受信信号の中から、１又は連続する複数チャンネル分のＢＳ受信信号を２グループ以上抽出し、各グループのＢＳ受信信号を、夫々、テレビ放送信号用に割り当てられているＶＨＦ帯からＵＨＦ帯までの周波数領域で、且つ、前記テレビ放送信号と重複することのない所定周波数帯のＢＳ中間周波信号に周波数変換して、伝送線上に送出する。そして、各加入者側のアップコンバータにおいて、ヘッドエンドから伝送されてきた各グループのＢＳ中間周波信号を、夫々、元の周波数帯のＢＳ受信信号に周波数変換すると共に、周波数変換後のＢＳ受信信号を混合して加入者側端末へと送出する様に構成されている。
【００１３】
このため、本発明にかかるＣＡＴＶシステムにおいては、最終的にアップコンバータから加入者端末側へ送出されるＢＳ受信信号のチャンネル配列は、元のＢＳ中間周波信号のチャンネル配列と同じである。従って、加入者側端末では、既存のＢＳチューナを用いてＢＳ放送を受信することができる。
【００１４】
ところで、本発明にかかるＣＡＴＶシステムは、ＢＳアンテナからのＢＳ受信信号の中から抽出した各グループのＢＳ受信信号を、ダウンコンバータにおいて具体的にどの様な周波数帯域のＢＳ中間周波信号に周波数変換するかは任意であり、例えば、請求項２に記載されている様に、第１グループのＢＳ受信信号を、ＶＨＦ帯の地上のテレビ放送に割り当てられている周波数帯域とＵＨＦ帯の地上のテレビ放送に割り当てられている周波数帯域との間の中間帯域内のＢＳ中間周波信号に周波数変換し、第２グループのＢＳ受信信号を、ＵＨＦ帯の地上のテレビ放送に割り当てられている周波数帯域内のＢＳ中間周波信号に周波数変換する様に構成されていても良い。
【００１５】
この様に構成されている場合には、ＢＳ中間周波信号の一部を中間帯域内に収めることによって、ＵＨＦ帯域の地上のテレビ放送に割り当てられる周波数帯域内に地上波デジタル放送信号のための空き周波数帯域を確保することができる。尚、この様な趣旨でＢＳ受信信号の一部を中間帯域内に収めるのであるから、中間帯域内に収めるチャンネル数は多い程良い。具体的には、ＢＳ受信信号の１チャンネル分の周波数帯域幅は４０ＭＨｚ弱であるので、５チャンネル分を収めることができる（仮に、パイロット信号の周波数を中間帯域外の周波数に変更した場合には、６チャンネル分を収めることができる）。このため、ＢＳ受信信号の全８チャンネル分を伝送する場合でも、ＵＨＦ帯域の地上のテレビ放送に割り当てられている周波数帯域内には３チャンネル（又は２チャンネル）分が収められるだけであり、これによって占有する周波数帯域幅は１２０ＭＨｚ（又は８０ＭＨｚ）弱に過ぎないので、地上波デジタル放送信号の伝送にとって大きな支障とはならない。
【００１６】
又、ＢＳ受信信号の全８チャンネル分を伝送するのではなく、例えばＢＳデジタル放送用の４チャンネル分だけを伝送する場合には、請求項３に記載されている様に、第１グループのＢＳ受信信号と第２グループのＢＳ受信信号とを、夫々、中間帯域内で、且つ、互いに周波数が異なるＢＳ中間周波信号に周波数変換する様に構成されていても良い。
【００１７】
この様に構成されている場合には、ＢＳ中間周波信号がＵＨＦ帯域の地上のテレビ放送に割り当てられる周波数帯域内を占有しないので、地上波デジタル放送信号の伝送にとって何ら支障とならない。
そして、本発明にかかるＣＡＴＶシステムにおいてヘッドエンド側に設けられるダウンコンバータは、具体的には、請求項４に記載されている様に、ＢＳ受信信号抽出手段が、ＢＳアンテナからのＢＳ受信信号の中から、１又は連続する複数チャンネル分のＢＳ受信信号を２グループ以上抽出し、複数の第１周波数変換手段が、ＢＳ受信信号抽出手段にて抽出された各グループのＢＳ受信信号を、夫々、テレビ放送信号用に割り当てられているＶＨＦ帯からＵＨＦ帯までの周波数領域で、且つ、前記テレビ放送信号と重複することのない所定周波数帯のＢＳ中間周波信号に周波数変換し、伝送信号混合手段が、周波数変換された各ＢＳ中間周波信号と外部から入力される他のテレビ放送信号とを混合して伝送線上に送出する様に構成されている。又、第１基準信号生成手段により、複数の第１周波数変換手段が各グループのＢＳ受信信号を所定周波数帯のＢＳ中間周波信号に周波数変換するのに必要な複数の基準信号を生成する様に構成されている。
【００１８】
ところで、ダウンコンバータを構成する第１基準信号生成手段は、具体的にどの様な態様で複数の基準信号を生成するかは任意であり、例えば、請求項５に記載されている様に、複数の第１周波数変換手段が各グループのＢＳ受信信号を所定周波数帯のＢＳ中間周波信号に周波数変換するのに必要な複数の基準信号を各々発生する複数の発振器を備えていても良いが、請求項６に記載されている様に、第１発振器が、複数の周波数変換手段の内の一つが特定グループのＢＳ受信信号を所定周波数帯のＢＳ中間周波信号に周波数変換するのに必要な基準信号を発生し、第１逓倍／分周手段が、第１発振器が発生した基準信号を逓倍又は分周することにより、他の周波数変換手段が他のグループのＢＳ受信信号を所定周波数帯の周波数変換するのに必要な基準信号を生成する様に構成されていると更に良い。
【００１９】
この様に構成されている場合には、複数の基準信号を各々専用の発振器によって発生させる場合に比べ、第１基準信号生成手段の構成が簡略であり、又、各基準信号間で周波数，位相のズレが生じ難い。
尚、パイロット信号を発生させるための発振器を別途設ける代わりに、第１基準信号生成手段によって生成される複数の基準信号の内の１つをパイロット信号として用いる様に構成されていても良い。この様に構成されている場合には、ＣＡＴＶシステムの構成を簡略化することができる。
【００２０】
そして、本発明にかかるＣＡＴＶシステムにおいて各加入者側に設けられるアップコンバータは、具体的には、請求項７に記載されている様に、ＢＳ中間周波信号抽出手段が、ヘッドエンドからの伝送信号の中から、各グループのＢＳ中間周波信号を抽出し、複数の第２周波数変換手段が、ＢＳ中間周波信号抽出手段にて抽出された各グループのＢＳ中間周波信号を、夫々、ＢＳアンテナから出力された元の周波数帯のＢＳ受信信号に周波数変換し、ＢＳ受信信号混合手段が、複数の第２周波数変換手段にて周波数変換された複数のＢＳ受信信号を混合して加入者側端末へと送出する様に構成されている。又、第２基準信号生成手段により、複数の第２周波数変換手段が各グループのＢＳ中間周波信号を元のＢＳ受信信号に周波数変換するのに使用する基準信号として、ヘッドエンド側ダウンコンバータが各グループのＢＳ受信信号をＢＳ中間周波信号に周波数変換するのに用いた基準信号と同一周波数の基準信号を生成する様に構成されている。
【００２１】
ところで、アップコンバータを構成する第２基準信号生成手段も、具体的にどの様な態様で複数の基準信号を生成するかは任意であり、例えば、請求項８に記載されている様に、複数の第２周波数変換手段が各グループのＢＳ中間周波信号を元のＢＳ受信信号に周波数変換するのに必要な複数の基準信号を各々発生する複数の発振器を備えていても良いが、請求項９に記載されている様に、第２発振器が、複数の第２周波数変換手段の内の一つが特定グループのＢＳ中間周波信号を元のＢＳ受信信号に周波数変換するのに必要な基準信号を発生し、第２逓倍／分周手段が、第２発振器が発生した基準信号を逓倍又は分周することにより、他の周波数変換手段が他のグループのＢＳ中間周波信号を元のＢＳ受信信号に周波数変換するのに必要な基準信号を生成する様に構成されていると更に良い。
【００２２】
この様に構成されている場合には、複数の基準信号を各々専用の発振器によって発生させる場合に比べ、第２基準信号生成手段の構成が簡略であり、又、各基準信号間で周波数，位相のズレが生じ難い。
尚、ヘッドエンド側に設けられるダウンコンバータを構成する第１基準信号生成手段によって生成される複数の基準信号の内の１つをパイロット信号として用いる場合には、第２基準信号生成手段は、第２発振器によって基準信号を発生させる代わりに、このパイロット信号をそのまま基準信号として用い、逓倍／分周手段によってこのパイロット信号を逓倍又は分周することによって他の基準信号を生成する様に構成されていても良い。この様に構成されている場合には、アップコンバータの構成を簡略化することができる。
【００２３】
又、本発明にかかるＣＡＴＶシステムにおいて各加入者側に設けられるアップコンバータは、端末装置毎に付設又は内蔵されていても良いし、請求項１０に記載されている様に、伝送線上に単体で設置されていても良いし、請求項１１に記載されている様に、伝送線上に、伝送信号を端末側に伝送する伝送用機器の一つとして設置可能に構成されていても良い。伝送用機器とは、伝送線上に設置される分岐器，分岐増幅器，分配器，分配増幅器，延長増幅器，タップオフ等のことである。
【００２４】
この様にアップコンバータが伝送線上に設けられている場合には、端末装置毎に設けられている場合に比べて個数が大幅に少なくなる。例えば、延長増幅器の先に分配器が設置されており、その先に複数（例えば２４個）の端末装置が接続されている場合、端末装置毎に設ければ複数（２４個）のアップコンバータが必要であるが、延長増幅器と分配器との間に設ければ、あるいは、延長増幅器に内蔵させれば１個で足りる。従って、非常に経済的である。但し、アップコンバータから各端末装置までは、ＢＳ中間周波信号を伝送可能な伝送線、即ち約１３４０ＭＨｚまで伝送可能な伝送線によって信号を伝送する必要がある。
【００２５】
【発明の実施の形態】
以下、本発明の一実施例を図面に基づいて説明する。
まず、本実施例のＣＡＴＶシステムの全体構成について説明する。図１は、ＣＡＴＶシステムの全体構成を説明するためのブロック図である。
【００２６】
図１に示す様に、本実施例のＣＡＴＶシステムは、７０乃至７７０ＭＨｚの信号を伝送可能に構成され、ヘッドエンド１から放送信号を送出し、伝送線（詳しくは、幹線，分岐線，分配線，引込線）６及び伝送線６上に設けられている分岐増幅器２，延長増幅器３，タップオフ４，保安器５を介して、当該ＣＡＴＶシステムの加入者宅に放送信号を供給するものである。
【００２７】
次に、ＣＡＴＶシステムを構成するヘッドエンドについて説明する。図２は、ヘッドエンドの構成を説明するためのブロック図である。
図２に示す様に、ヘッドエンド１は、地上局から送出される地上波放送信号、詳しくは、ＶＨＦ帯域（９０乃至１０８，１７０乃至２２２ＭＨｚ）のアナログ放送信号及びＵＨＦ帯域（４７０乃至７７０ＭＨｚ）の放送信号（アナログ及びデジタル）を受信するための地上波放送受信アンテナ１１と、地上波放送受信アンテナ１１によって受信された地上波放送信号を所定レベルに増幅するための受信増幅器１２と、を備え、又、放送衛星から送出される衛星放送信号を受信し、１０３０乃至１３３７ＭＨｚのＢＳ受信信号に周波数変換して出力するＢＳアンテナ１４と、ＢＳ受信信号を所定レベルに増幅するための受信増幅器１５と、ＢＳ受信信号を当該ＣＡＴＶシステムにおいて伝送可能な周波数帯域（７０乃至７７０ＭＨｚ）のＢＳ中間周波信号に周波数変換するダウンコンバータ部２０と、を備え、地上波放送信号と、ダウンコンバータ部２０において周波数変換されたＢＳ中間周波信号と、を混合器１３によって混合し、出力端子Ｔｏｕｔから出力するものである。尚、図示しないが、ヘッドエンド１には、分岐増幅器２等において伝送信号のレベル調整等に用いられる４５１．２５ＭＨｚのパイロット信号を生成するためのパイロット信号生成器も備えられており、この生成されたパイロット信号は、地上波放送信号及びダウンコンバータ部２０において周波数変換されたＢＳ中間周波信号に混合され、出力端子Ｔｏｕｔから出力される。
【００２８】
ダウンコンバータ部２０では、まず分配器２１によってＢＳ受信信号が２分配され、各々バンドパスフィルタ（以下「ＢＰＦ」という。）２２，２６に入力される。ＢＰＦ２２の通過可能周波数帯域は１０３０乃至１１４５ＭＨｚであり、ＢＰＦ２６の通過可能周波数帯域は１１４５乃至１３３７ＭＨｚである。このため、ＢＰＦ２２からは、全８チャンネルの衛星放送の内の１，３，５チャンネルに対応する１０３０乃至１１４５ＭＨｚのＢＳ中間周波信号が出力され、同様に、ＢＰＦ２６からは、７，９，１１，１３，１５チャンネルに対応する１１４５乃至１３３７ＭＨｚのＢＳ受信信号が出力されることになる。そして、ＢＰＦ２２からの出力信号は、ミキサ２３に入力され、ＢＰＦ２６からの出力信号は、ミキサ２７に入力される。又、ミキサ２３には、発振周波数４４６ＭＨｚの局部発振器２９から出力される第２基準信号が、増幅器３０及びＢＰＦ３１（通過可能周波数：４４６ＭＨｚ）を介して入力され、ミキサ２７には、第２基準信号を逓倍回路３２において２逓倍することによって生成される第１基準信号が、ＢＰＦ３３（通過可能周波数：８９２ＭＨｚ）を介して入力される。
【００２９】
そして、ミキサ２３は、１０３０乃至１１４５ＭＨｚのＢＳ受信信号を、４４６ＭＨｚの第２基準信号を用いて周波数変換し、ＢＰＦ２４（通過可能周波数帯域：５８４乃至６９９ＭＨｚ）に入力する。すると、ＢＰＦ２４からは、１，３，５チャンネルに対応するＢＳ受信信号の周波数を４４６ＭＨｚ下げた５８４乃至６９９ＭＨｚのＢＳ中間周波信号（以下「第２ＢＳ中間周波信号」という。）が出力されることになる。同様に、ミキサ２７は、１１４５乃至１３３７ＭＨｚのＢＳ受信信号を、８９２ＭＨｚの第１基準信号を用いて周波数変換し、ＢＰＦ２８（通過可能周波数帯域：２５３乃至４４５ＭＨｚ）に入力する。すると、ＢＰＦ２８からは、７，９，１１，１３，１５チャンネルに対応するＢＳ受信信号の周波数を８９２ＭＨｚ下げた２５３乃至４４５ＭＨｚのＢＳ中間周波信号（以下「第１ＢＳ中間周波信号」という。）が出力されることになる。そして、第２ＢＳ中間周波信号及び第１ＢＳ中間周波信号は、混合器２５によって混合された後に混合器１３に入力され、前述した様に、混合器１３によって地上波放送信号と混合され、出力端子Ｔｏｕｔから出力される。ＢＳ中間周波信号，第１ＢＳ中間周波信号，第２ＢＳ中間周波信号の周波数分布は、図３に示す通りである。
【００３０】
そして、地上波放送信号，第１ＢＳ中間周波信号，第２ＢＳ中間周波信号が混合された伝送信号が加入者宅まで伝送されると、加入者宅では、アップコンバータ４０によって第１ＢＳ中間周波信号及び第２ＢＳ中間周波信号をＢＳ受信信号に戻し、地上波放送及び衛星放送を視聴する。
【００３１】
次に、アップコンバータ４０について説明する。図４は、アップコンバータの構成を説明するためのブロック図である。
図４に示す様に、アップコンバータ４０では、入力端子Ｔｉｎから入力された伝送信号は、信号の一部を分岐する分岐器４１、及び通過可能周波数帯域が０乃至７７０ＭＨｚであるローパスフィルタ（以下「ＬＰＦ」という。）４２を介して出力端子Ｔｏｕｔ１から出力される。
【００３２】
又、分岐器４１により分岐された伝送信号は、増幅器４３を介して分配器４４に入力され、分配器４４によって２分配され、各々ＢＰＦ４５，５０に入力される。ＢＰＦ４５の通過可能周波数帯域は５８４乃至６９９ＭＨｚであり、ＢＰＦ５０の通過可能周波数帯域は２５３乃至４４５ＭＨｚであるので、ＢＰＦ４５からは、第２ＢＳ中間周波信号が出力され、ＢＰＦ５０からは、第１ＢＳ中間周波信号が出力される。そして、ＢＰＦ４５から出力される第２ＢＳ中間周波信号はミキサ４６に入力され、ＢＰＦ５０から出力される第１ＢＳ中間周波信号はミキサ５１に入力される。又、ヘッドエンド１のダウンコンバータ部２０と同様に、ミキサ４６には、発振周波数４４６ＭＨｚの局部発振器５３から出力される第４基準信号が、増幅器５４及びＢＰＦ５５（通過可能周波数：４４６ＭＨｚ）を介して入力され、ミキサ５１には、第４基準信号を逓倍回路５６において２逓倍することによって生成される第３基準信号が、ＢＰＦ５７（通過可能周波数：８９２ＭＨｚ）を介して入力される。
【００３３】
そして、ミキサ４６は、５８４乃至６９９ＭＨｚの第２ＢＳ中間周波信号を、４４６ＭＨｚの第４基準信号を用いて周波数変換し、ＢＰＦ４７（通過可能周波数帯域：１０３０乃至１１４５ＭＨｚ）に入力する。このため、ＢＰＦ４７からは、１，３，５チャンネルに対応する１０３０乃至１１４５ＭＨｚのＢＳ受信信号が出力されることになる。同様に、ミキサ５１は、２５３乃至４４５ＭＨｚの第１ＢＳ中間周波信号を、８９２ＭＨｚの第３基準信号を用いて周波数変換し、ＢＰＦ５２（通過可能周波数帯域：１１４５乃至１３３７ＭＨｚ）に入力し、ＢＰＦ５２からは、７，９，１１，１３，１５チャンネルに対応する１１４５乃至１３３７ＭＨｚのＢＳ受信信号が出力されることになる。そして、１，３，５チャンネルに対応する１０３０乃至１１４５ＭＨｚのＢＳ受信信号及び７，９，１１，１３，１５チャンネルに対応する１１４５乃至１３３７ＭＨｚのＢＳ受信信号は、混合器４８によって混合され、ハイパスフィルタ（以下「ＨＰＦ」という。）４９（通過可能周波数帯域：１０３０ＭＨｚ以上）を介して出力端子Ｔｏｕｔ２から出力される。
【００３４】
そして、出力端子Ｔｏｕｔ１からの出力信号は、そのままテレビ受信機（図示せず）に入力され、出力端子Ｔｏｕｔ２からの出力信号、即ちＢＳ受信信号は、ＢＳチューナ（図示せず）を介してテレビ受信機に入力される。
尚、本実施例において、ＢＰＦ２２，ＢＰＦ２６が前述のＢＳ受信信号抽出手段に相当し、局部発振器２９，増幅器３０，ＢＰＦ３１，逓倍回路３２，ＢＰＦ３３が前述の第１基準信号生成手段に相当し、この内の局部発振器２９が前述の第１発振器に相当し、逓倍回路３２が前述の第１逓倍／分周手段に相当し、ミキサ２３，ＢＰＦ２４，ミキサ２７，ＢＰＦ２８が前述の第１周波数変換手段に相当し、混合器１３，混合器２５が前述の伝送信号混合手段に相当し、ＢＰＦ４５，ＢＰＦ５０が前述のＢＳ中間周波信号抽出手段に相当し、局部発振器５３，増幅器５４，ＢＰＦ５５，逓倍回路５６，ＢＰＦ５７が前述の第２基準信号生成手段に相当し、この内の局部発振器５３が前述の第２発振器に相当し、逓倍回路５６が前述の第２逓倍／分周手段に相当し、ミキサ４６，ＢＰＦ４７，ミキサ５１，ＢＰＦ５２が前述の第２周波数変換手段に相当し、混合器４８が前述のＢＳ受信信号混合手段に相当する。
【００３５】
続いて、本実施例のＣＡＴＶシステムの効果について説明する。
本実施例のＣＡＴＶシステムによれば、ヘッドエンド１のダウンコンバータ部２０にて、７，９，１１，１３，１５チャンネルに対応する１１４５乃至１３３７ＭＨｚのＢＳ中間周波信号は、８９２ＭＨｚの第１基準信号を用いて、２５３乃至４４５ＭＨｚの第１ＢＳ中間周波信号に周波数変換され、１，３，５チャンネルに対応する１０３０乃至１１４５ＭＨｚのＢＳ中間周波信号は、４４６ＭＨｚの第２基準信号を用いて、５８４乃至６９９ＭＨｚの第２ＢＳ中間周波信号に周波数変換される。このため、第２ＢＳ中間周波信号のＵＨＦ帯域における占有率を抑えることができ、地上波デジタル放送信号のための空き周波数帯域をより広く確保することができる。
【００３６】
又、ダウンコンバータ部２０は、第１基準信号，第２基準信号を各々専用の局部発振器によって発生させるのではなく、１つの局部発振器２９によって４４６ＭＨｚの第２基準信号を発生させると共に、逓倍回路３２によって第２基準信号を２逓倍した８９２ＭＨｚの信号を第１基準信号とする様に構成されているので、第１基準信号，第２基準信号を各々専用の発振器によって発生させる様に構成する場合に比べて構成が簡略である。従って、簡単な構成で、地上波デジタル放送信号のための空き周波数帯域を広く確保しつつ、７０乃至７７０ＭＨｚの周波数帯域内にＢＳ中間周波信号を収めて伝送することができる。
【００３７】
又、アップコンバータ４０も、ヘッドエンド１のダウンコンバータ部２０と同様に、第３基準信号，第４基準信号を各々専用の発振器によって発生させるのではなく、１つの局部発振器５３によって４４６ＭＨｚの第４基準信号を発生させると共に、逓倍回路３２によって第４基準信号を２逓倍した８９２ＭＨｚの信号を第３基準信号とする様に構成されているので、第３基準信号，第４基準信号を各々専用の発振器によって発生させる様に構成する場合に比べて構成が簡略である。従って、簡単な構成で、第１ＢＳ中間周波信号及び第２ＢＳ中間周波信号を元のＢＳ中間周波信号に戻すことができる。
【００３８】
［第２実施例］
まず、本実施例のＣＡＴＶシステムの全体構成は、図１に示す第１実施例のＣＡＴＶシステムと同様である。即ち、本実施例のＣＡＴＶシステムは、７０乃至７７０ＭＨｚの信号を伝送可能に構成され、ヘッドエンドから放送信号を送出し、伝送線（詳しくは、幹線，分岐線，分配線，引込線）及び伝送線上に設けられている分岐増幅器，延長増幅器，タップオフ，保安器を介して、当該ＣＡＴＶシステムの加入者宅に放送信号を供給するものである。
【００３９】
次に、ＣＡＴＶシステムを構成するヘッドエンドについて説明する。図５は、ヘッドエンドの構成を説明するためのブロック図である。
図５に示す様に、ヘッドエンド１０１は、地上波放送受信アンテナ１１と、受信増幅器１２と、ＢＳアンテナ１４と、受信増幅器１５と、ＢＳ受信信号を当該ＣＡＴＶシステムにおいて伝送可能な周波数帯域（７０乃至７７０ＭＨｚ）のＢＳ中間周波信号に周波数変換するダウンコンバータ部１２０と、を備え、地上波放送信号と、ダウンコンバータ部１２０において周波数変換されたＢＳ中間周波信号と、を混合器１３によって混合し、出力端子Ｔｏｕｔから出力するものである。即ち、ヘッドエンド１０１は、ダウンコンバータ部１２０以外は、第１実施例のヘッドエンド１と同様の構成である。
【００４０】
ダウンコンバータ部１２０では、まず分配器１２１によってＢＳ受信信号が２分配され、各々ＢＰＦ１２２，１２６に入力される。ＢＰＦ１２２の通過可能周波数帯域は１０３０乃至１１０７ＭＨｚであり、ＢＰＦ１２６の通過可能周波数帯域は１２６０乃至１３３７ＭＨｚである。このため、ＢＰＦ１２２からは、全８チャンネルの衛星放送の内の１，３チャンネルに対応する１０３０乃至１１０７ＭＨｚのＢＳ受信信号が出力され、同様に、ＢＰＦ１２６からは、１３，１５チャンネルに対応する１２６０乃至１３３７ＭＨｚのＢＳ受信信号が出力されることになる。そして、ＢＰＦ１２２からの出力信号は、ミキサ１２３に入力され、ＢＰＦ１２６からの出力信号は、ミキサ１２７に入力される。又、ミキサ１２３には、発振周波数１４３７ＭＨｚの局部発振器１２９から出力される第５基準信号が、増幅器１３０及びＢＰＦ１３１（通過可能周波数：１４３７ＭＨｚ）を介して入力され、ミキサ１２７には、発振周波数１６９０ＭＨｚの局部発振器１３２から出力される第６基準信号が、増幅器１３３及びＢＰＦ１３４（通過可能周波数：１６９０ＭＨｚ）を介して入力される。
【００４１】
そして、ミキサ１２３は、１０３０乃至１１０７ＭＨｚのＢＳ受信信号を、１４３７ＭＨｚの第５基準信号を用いて周波数変換し、ＢＰＦ１２４（通過可能周波数帯域：３３０乃至４０７ＭＨｚ）に入力する。すると、ＢＰＦ１２４からは、第１基準信号の周波数（１４３７ＭＨｚ）から１，３チャンネルに対応するＢＳ受信信号の周波数を減じた３３０乃至４０７ＭＨｚのＢＳ中間周波信号（以下「第３ＢＳ中間周波信号」という。）が出力されることになる。同様に、ミキサ１２７は、１２６０乃至１３３７ＭＨｚのＢＳ受信信号を、１６９０ＭＨｚの第６基準信号を用いて周波数変換し、ＢＰＦ１２８（通過可能周波数帯域：２５３乃至３３０ＭＨｚ）に入力する。すると、ＢＰＦ１２８からは、第６基準信号の周波数（１６９０ＭＨｚ）から１３，１５チャンネルに対応するＢＳ受信信号の周波数を減じた２５３乃至３３０ＭＨｚのＢＳ中間周波信号（以下「第４ＢＳ中間周波信号」という。）が出力されることになる。そして、第３ＢＳ中間周波信号及び第４ＢＳ中間周波信号は、混合器１２５によって混合された後に混合器１３に入力され、前述した様に、混合器１３によって地上波放送信号と混合され、出力端子Ｔｏｕｔから出力される。ＢＳ受信信号，第３ＢＳ中間周波信号，第４ＢＳ中間周波信号の周波数分布は、図６に示す通りである。
【００４２】
そして、地上波放送信号，第３ＢＳ中間周波信号，第４ＢＳ中間周波信号が混合された伝送信号が加入者宅まで伝送されると、加入者宅では、第１実施例と同様に、アップコンバータ１４０によって第３ＢＳ中間周波信号及び第４ＢＳ中間周波信号をＢＳ受信信号に戻し、地上波放送及び衛星放送を視聴する。
【００４３】
次に、アップコンバータ１４０について説明する。図７は、アップコンバータの構成を説明するためのブロック図である。
図７に示す様に、アップコンバータ１４０では、入力端子Ｔｉｎから入力された伝送信号は、信号の一部を分岐する分岐器１４１、及び通過可能周波数帯域が０乃至７７０ＭＨｚであるローパスフィルタ（以下「ＬＰＦ」という。）１４２を介して出力端子Ｔｏｕｔ１から出力される。
【００４４】
又、分岐器１４１により分岐された伝送信号は、増幅器１４３を介して分配器１４４に入力され、分配器１４４によって２分配され、各々ＢＰＦ１４５，１５０に入力される。ＢＰＦ１４５の通過可能周波数帯域は３３０乃至４０７ＭＨｚであり、ＢＰＦ１５０の通過可能周波数帯域は２５３乃至３３０ＭＨｚであるので、ＢＰＦ１４５からは、第３ＢＳ中間周波信号が出力され、ＢＰＦ１５０からは、第４ＢＳ中間周波信号が出力される。そして、ＢＰＦ１４５から出力される第３ＢＳ中間周波信号はミキサ１４６に入力され、ＢＰＦ１５０から出力される第４ＢＳ中間周波信号はミキサ１５１に入力される。又、ヘッドエンド１０１のダウンコンバータ部１２０と同様に、ミキサ１４６には、発振周波数１４３７ＭＨｚの局部発振器１５３から出力される第７基準信号が、増幅器１５４及びＢＰＦ１５５（通過可能周波数：１４３７ＭＨｚ）を介して入力され、ミキサ１５１には、発振周波数１６９０ＭＨｚの局部発振器１５６から出力される第８基準信号が、増幅器１５７及びＢＰＦ１５８（通過可能周波数：１６９０ＭＨｚ）を介して入力される。
【００４５】
そして、ミキサ１４６は、３３０乃至４０７ＭＨｚの第３ＢＳ中間周波信号を、１４３７ＭＨｚの第７基準信号を用いて周波数変換し、ＢＰＦ１４７（通過可能周波数帯域：１０３０乃至１１０７ＭＨｚ）に入力する。このため、ＢＰＦ１４７からは、１，３チャンネルに対応する１０３０乃至１１０７ＭＨｚのＢＳ受信信号が出力されることになる。同様に、ミキサ１５１は、２５３乃至３３０ＭＨｚの第４ＢＳ中間周波信号を、１６９０ＭＨｚの第８基準信号を用いて周波数変換し、ＢＰＦ１５２（通過可能周波数帯域：１２６０乃至１３３７ＭＨｚ）に入力し、ＢＰＦ１５２からは、１３，１５チャンネルに対応する１２６０乃至１３３７ＭＨｚのＢＳ受信信号が出力されることになる。そして、１，３チャンネルに対応する１０３０乃至１１０７ＭＨｚのＢＳ受信信号及び１３，１５チャンネルに対応する１２６０乃至１３３７ＭＨｚのＢＳ受信信号は、混合器１４８によって混合され、ハイパスフィルタ（以下「ＨＰＦ」という。）１４９（通過可能周波数帯域：１０３０ＭＨｚ以上）を介して出力端子Ｔｏｕｔ２から出力される。
【００４６】
そして、第１実施例と同様に、出力端子Ｔｏｕｔ１からの出力信号は、そのままテレビ受信機（図示せず）に入力され、出力端子Ｔｏｕｔ２からの出力信号、即ちＢＳ受信信号は、ＢＳチューナ（図示せず）を介してテレビ受信機に入力される。
【００４７】
尚、本実施例において、ＢＰＦ１２２，ＢＰＦ１２６が前述のＢＳ受信信号抽出手段に相当し、局部発振器１２９，増幅器１３０，ＢＰＦ１３１，局部発振器１３２，増幅器１３３，ＢＰＦ１３４が前述の第１基準信号生成手段に相当し、ミキサ１２３，ＢＰＦ１２４，ミキサ１２７，ＢＰＦ１２８が前述の第１周波数変換手段に相当し、ＢＰＦ１４５，１５０が前述のＢＳ中間周波信号抽出手段に相当し、混合器１３，混合器１２５が前述の伝送信号混合手段に相当し、局部発振器１５３，増幅器１５４，ＢＰＦ１５５，局部発振器１５６，増幅器１５７，ＢＰＦ１５８が前述の第２基準信号生成手段に相当し、ミキサ１４６，ＢＰＦ１４７，ミキサ１５１，ＢＰＦ１５２が前述の第２周波数変換手段に相当し、混合器１４８が前述のＢＳ受信信号混合手段に相当する。
【００４８】
続いて、本実施例のＣＡＴＶシステムの効果について説明する。
本実施例のＣＡＴＶシステムによれば、ヘッドエンド１のダウンコンバータ部１２０にて、１，３チャンネルに対応する１０３０乃至１１０７ＭＨｚのＢＳ受信信号は、１４３７ＭＨｚの第５基準信号を用いて、３３０乃至４０７ＭＨｚの第３ＢＳ中間周波信号に周波数変換され、１３，１５チャンネルに対応する１２６０乃至１３３７ＭＨｚのＢＳ受信信号は、１６９０ＭＨｚの第６基準信号を用いて、２５３乃至３３０ＭＨｚの第４ＢＳ中間周波信号に周波数変換される。そして、アップコンバータ１４０において、第３ＢＳ中間周波信号及び第４ＢＳ中間周波信号を元のＢＳ受信信号に戻すので、アップコンバータ１４０において周波数変換した後のＢＳ受信信号のチャンネル配列は、元のＢＳ受信信号のチャンネル配列と同じである。このため、加入者側端末では、既存のＢＳチューナを用いてＢＳ放送を正しく受信することができる。
【００４９】
以上、本発明の２つの実施例について説明したが、本発明は前述した実施例に何等限定されるものではなく、更に種々の態様において実施しても良いことはもちろんである。
例えば、第１実施例では、パイロット信号の周波数が４５１．２５ＭＨｚであるため、中間帯域内に６チャンネル分のＢＳ中間周波信号を収めることはできないが、仮に、パイロット信号の周波数を中間帯域外の周波数、例えば８０ＭＨｚに変更した場合には、６チャンネル分のＢＳ中間周波信号を収めることができる。従って、地上波デジタル放送信号のための空き周波数帯域をより一層広く確保することができる。尚、逆に、地上波デジタル放送信号の伝送に支障がなければ、中間帯域内に収めるチャンネル数を１乃至４としても良い。
【００５０】
又、第１実施例では、パイロット信号発生器によって４５１．２５ＭＨｚのパイロット信号を発生させ、局部発振器２９によって４４６ＭＨｚの第２基準信号を発生させる様に構成されているが、局部発振器２９によって発生させた第２基準信号をパイロット信号として用いる様に構成されていても良い。加えて、この様に構成されている場合には、アップコンバータ４０は、局部発振器５３によって第４基準信号を発生させる代わりに、パイロット信号をそのまま第４基準信号として用い、逓倍回路５６によってパイロット信号を２逓倍したものを第３基準信号とする様に構成されていても良い。
【００５１】
又、第１実施例及び第２実施例では、アップコンバータ４０及びアップコンバータ１４０は、加入者宅内に単独で設置されているが、各加入者宅内の各種伝送用機器（例えばブースター，分岐・分配器）に内蔵されていても良い。
又、第１実施例及び第２実施例では、各加入者宅にアップコンバータ４０及びアップコンバータ１４０が設けられているが、伝送線６上、例えば、図８（ａ）に示す様に、延長増幅器３とタップオフ４との間にアップコンバータ５９が設置されていても良い。尚、第１実施例及び第２実施例では、地上波放送信号は出力端子Ｔｏｕｔ１から出力され、ＢＳ受信信号は出力端子Ｔｏｕｔ２から出力される様に構成されているが、図８（ａ）に示す様にアップコンバータ５９が伝送線６上に設置されている場合には、ＬＰＦ４２及びＨＰＦ４９の先に混合器を設置して、地上波放送信号とＢＳ受信信号と一つの出力端子から出力する様に構成する必要がある（図示省略）。
【００５２】
この様にアップコンバータ５９が延長増幅器３とタップオフ４との間等に設置されている場合には、各加入者宅毎にアップコンバータが設けられている場合に比べてアップコンバータの個数が大幅に少なくなり、非常に経済的である。但し、アップコンバータ５９から各加入者宅までは、ＢＳ受信信号を伝送可能な伝送線、即ち約１３４０ＭＨｚまで伝送可能な伝送線によって信号を伝送する必要がある。
【００５３】
又、図８（ａ）に示す様に伝送線６上に単独で設置するのではなく、伝送線６に設置される分岐器，分岐増幅器，分配器，分配増幅器，延長増幅器，タップオフ等に内蔵されていても良い。図８（ｂ）は、延長増幅器にアップコンバータを内蔵させた場合のＣＡＴＶシステムのブロック図であり、図９は、図８（ｂ）に示すアップコンバータ内蔵延長増幅器の構成を説明するためのブロック図である。尚、このアップコンバータ内蔵延長増幅器６０は、第１実施例のアップコンバータ４０の変形例である。
【００５４】
図９に示す様に、アップコンバータ内蔵延長増幅器６０では、入力端子Ｔｉｎから入力された伝送信号は、等価増幅器６１，減衰器６２，増幅器６３，自動利得制御器６４，増幅器６５，分岐器６６，ＬＰＦ６７（通過可能周波数帯域：０乃至７７０ＭＨｚ），混合器６８を介して出力端子Ｔｏｕｔから出力される。尚、等価増幅器６１，減衰器６２，自動利得制御器６４は周知のものであり、説明は省略する。
【００５５】
又、分岐器６６により分岐された伝送信号は、分配器６９によって２分配され、各々ＢＰＦ７０，７４に入力される。ＢＰＦ７０の通過可能周波数帯域は５８４乃至６９９ＭＨｚであり、ＢＰＦ７４の通過可能周波数帯域は２５３乃至４４５ＭＨｚであるので、ＢＰＦ７０からは、第２ＢＳ中間周波信号が出力され、ＢＰＦ７４からは、第１ＢＳ中間周波信号が出力され、第２ＢＳ中間周波信号はミキサ７１に入力され、第１ＢＳ中間周波信号はミキサ７５に入力される。又、ミキサ７１には、発振周波数４４６ＭＨｚの局部発振器７７から出力される第４基準信号が、増幅器７８及びＢＰＦ７９（通過可能周波数：４４６ＭＨｚ）を介して入力され、ミキサ７５には、第４基準信号を逓倍回路８０において２逓倍することによって生成される第３基準信号が、ＢＰＦ８１（通過可能周波数：８９２ＭＨｚ）を介して入力される。
【００５６】
そして、ミキサ７１は、第４基準信号を用いて第２ＢＳ中間周波信号を周波数変換し、ＢＰＦ７２（通過可能周波数帯域：１０３０乃至１１４５ＭＨｚ）に入力する。すると、ＢＰＦ７２からは、１，３，５チャンネルに対応する１０３０乃至１１４５ＭＨｚのＢＳ受信信号が出力される。同様に、ミキサ７５は、第３基準信号を用いて第１ＢＳ中間周波信号を周波数変換し、ＢＰＦ７６（通過可能周波数：１１４５乃至１３３７ＭＨｚ）に入力し、ＢＰＦ７６からは、７，９，１１，１３，１５チャンネルに対応する１１４５乃至１３３７ＭＨｚのＢＳ受信信号が出力される。そして、１，３，５チャンネルに対応する１０３０乃至１１４５ＭＨｚのＢＳ受信信号及び７，９，１１，１３，１５チャンネルに対応する１１４５乃至１３３７ＭＨｚのＢＳ受信信号は、混合器７３によって混合され、増幅器８２，自動利得制御器８３，増幅器８４，ＨＰＦ８５（通過可能周波数帯域：１０３０ＭＨｚ以上），混合器６８を介して出力端子Ｔｏｕｔから出力される。
【００５７】
この様にアップコンバータが延長増幅器に内蔵されている場合には、各加入者宅毎にアップコンバータが設けられている場合に比べてアップコンバータの個数が大幅に少なくなり、非常に経済的である。但し、アップコンバータ内蔵延長増幅器６０から各加入者宅までは、ＢＳ受信信号を伝送可能な伝送線、即ち約１３４０ＭＨｚまで伝送可能な伝送線によって信号を伝送する必要がある。
【図面の簡単な説明】
【図１】  第１実施例のＣＡＴＶシステムの全体構成を説明するためのブロック図である。
【図２】  第１実施例のヘッドエンドの構成を説明するためのブロック図である。
【図３】  第１実施例のＢＳ受信信号，第１ＢＳ中間周波信号，第２ＢＳ中間周波信号の周波数分布図である。
【図４】  第１実施例のアップコンバータの構成を説明するためのブロック図である。
【図５】  第２実施例のヘッドエンドの構成を説明するためのブロック図である。
【図６】  第２実施例のＢＳ受信信号，第３ＢＳ中間周波信号，第４ＢＳ中間周波信号の周波数分布図である。
【図７】  第２実施例のアップコンバータの構成を説明するためのブロック図である。
【図８】  変形例のＣＡＴＶシステムの全体構成を説明するためのブロック図である。
【図９】  変形例のアップコンバータ内蔵延長増幅器の構成を説明するためのブロック図である。
【図１０】  従来のＢＳ受信信号，ＢＳ中間周波信号の周波数分布図である。
【符号の説明】
１，１０１…ヘッドエンド    ２…分岐増幅器    ３…延長増幅器    ４…タップオフ    ５…保安器    ６…伝送線    １１…地上波放送受信アンテナ    １２，１５…受信増幅器    １３，２５，４８，６８，７３，１２５，１４８…混合器    １４…ＢＳアンテナ    ２０，１２０…ダウンコンバータ部    ２１，４４，６９，１２１，１４４…分配器    ２２，２４，２６，２８，３１，３３，４５，４７，５０，５２，５５，５７，７０，７２，７４，７６，７９，８１，１２２，１２４，１２６，１２８，１３１，１３４，１４５，１４７，１５０，１５２，１５５，１５８…ＢＰＦ（バンドパスフィルタ）    ２３，２７，４６，５１，７１，７５，１２３，１２７，１４６，１５１…ミキサ    ２９，５３，７７，１２９，１３２，１５３，１５６…局部発振器    ３０，４３，５４，６３，６５，７８，８２，８４，１３０，１３３，１４３，１５４，１５７…増幅器    ３２，５６，８０…逓倍回路    ４０，１４０…アップコンバータ
４１，６６，１４１…分岐器    ４２，６７，１４２…ＬＰＦ（ローパスフィルタ）    ４９，８５，１４９…ＨＰＦ（ハイパスフィルタ）    ５９…アップコンバータ    ６０…アップコンバータ内蔵延長増幅器    ６１…等価増幅器
６２…減衰器    ６４，８３…自動利得制御器    Ｔｉｎ…入力端子    Ｔｏｕｔ，Ｔｏｕｔ１，Ｔｏｕｔ２…出力端子。
【図１】
0004463944.tif 000002
【図２】
0004463944.tif 000003
【図３】
0004463944.tif 000004
【図４】
0004463944.tif 000005
【図５】
0004463944.tif 000006
【図６】
0004463944.tif 000007
【図７】
0004463944.tif 000008
【図８】
0004463944.tif 000009
【図９】
0004463944.tif 000010
【図１０】
0004463944.tif 000011